(57)【特許請求の範囲】
【請求項１】
電源とポンプとの間に介在するポンプ用タイマーであって、
スイッチと、
鑑賞魚の給餌時間として予め定められた時間を設定する時間設定手段とを有し、
前記スイッチのオンにより、前記時間設定手段に設定された時間だけ、ポンプへの給電を停止することを特徴とするポンプ用タイマー。
【請求項２】
前記スイッチが押鋲式のスイッチであって、
前記時間設定手段には、鑑賞魚の給餌時間として予め定められた複数の時間が設定されており、該スイッチの押鋲回数により該複数の時間が切換えられて設定され、
前記スイッチの押鋲により、前記時間設定手段の切換えられた時間だけ、ポンプへの給電を停止することを特徴とする請求項１のポンプ用タイマー。
【請求項３】
濾過器に鑑賞魚用の水槽の水を圧送するポンプであって、
スイッチと、
鑑賞魚の給餌時間として予め定められた時間を設定する時間設定手段とを有し、
前記スイッチのオンにより、前記時間設定手段に設定された時間だけ、濾過器への水の圧送を停止することを特徴とするポンプ。
【請求項４】
電源に接続され鑑賞魚の水槽を照明する照明具であって、
ポンプ用のコンセントと、
スイッチと、
鑑賞魚の給餌時間として予め定められた時間を設定する時間設定手段とを有し、
前記スイッチのオンにより、前記時間設定手段に設定された時間だけ、ポンプ用コンセントからの給電を停止することを特徴とする照明具。
【請求項５】
電源に接続され、鑑賞魚の水槽を照明する照明具と、濾過器に鑑賞魚用の水槽の水を圧送するポンプと備える鑑賞魚用装置であって、
スイッチと、
鑑賞魚の給餌時間として予め定められた時間を設定する時間設定手段とを有し、
前記スイッチのオンにより、前記時間設定手段に設定された時間だけ、前記ポンプによる濾過器への水の圧送を停止することを特徴とする鑑賞魚用装置。
【発明の詳細な説明】
【０００１】
【産業上の利用分野】
本発明は、鑑賞魚用の水槽に用いるポンプ用タイマー、ポンプ、照明具及び鑑賞魚用装置に関するものである。
【０００２】
【従来の技術】
鑑賞魚等を飼育する方法として、現在一般的には、水槽内に水もしくは海水を貯留して飼育する方法が取られている。この水槽には、濾過装置を設置して水質の劣化を防ぐことが広く行われている。
【０００３】
この濾過装置の従来の構成について、図８を参照して説明する。水槽１０の上蓋２２上には、ポンプ１２と濾過器１８とが置かれる。このポンプ１２のノズル１４の先端は、水槽１０内の水１６へ浸漬されており、該ポンプ１２は、電力が供給されることにより水１６を汲み上げ、濾過器１８側へ圧送している。該濾過器１８では、水を濾過して吐出口２０から水槽１０側へ還流している。この濾過器１８では、鑑賞魚からの排泄物（糞・尿等）を物理的に濾過すると共に、生物的濾過、即ち、バクテリアによる処理を施し、魚類に適切な環境を水替えを行うことなく長期間保てるようにしている。この生物的濾過は、２段階で行われ、第１段階で亜硝酸バクテリア（ニトロソモナス）が尿等のアンモニア（Ｎ）を亜硝酸（ＮＯ２  ）に変化させ、そして、第２段階で硝酸バクテリア（ニトロバスター）が、亜硝酸を魚類に対して低い毒性しか有さない硝酸に変化させている。なお、上記ポンプ１２は、常に濾過器１８への水の圧送を継続し、これにより水質の劣化が防止されている。
【０００４】
【発明が解決しようとする課題】
しかしながら上記構成では、鑑賞魚に対して餌を与えた際、水中に浮遊する餌がポンプ１２に吸い込まれて濾過器１８に送られてしまうという問題点があった。濾過器１８へ送られた餌は、腐敗して上記排泄物と同様に分解されて亜硝酸・硝酸等に分解されることになるが、これは、餌の無駄であるばかりでなく、飼育水を汚す大きな原因となっていた。
【０００５】
上述した課題に対処するために、濾過器１８の入口に目の細かいフィルタを取り付けたりしているが、フィルタに排泄物・餌が詰まり抜本的な解決策とは言いえなかった。本発明者は、魚が餌を食べ尽くすまでの間（５分〜３０分）、ポンプ１２を停止して濾過器１８への餌の混入を防ぐことを着案したが、この方法は、非常に危険であるとの結論に至った。即ち、水槽まで近づき、餌を与えるときに濾過装置を停止することは、確実に行えるし、例え濾過装置の停止を怠ったとしても問題は発生しないが、給餌を完了して水槽から離れた状態では、濾過装置の再起動を忘れる蓋然性が高い。ここで、ポンプ１２の起動を怠ったとき、特に熱帯魚の場合、水温が高く水中の酸素濃度が低いため、ポンプ１２による酸素補給を長時間に渡り停滞すると、水槽内の魚が全て死滅する危険性がある。
【０００６】
本発明は、上述した課題を解決するためになされたものであり、その目的とするところは、給餌中に濾過器への水の圧送を停止できると共に、給餌完了後に水の圧送を確実に再開できるポンプ用タイマー、ポンプ、照明具及び鑑賞魚用装置を提供することにある。
【０００７】
【課題を解決するための手段】
上記の目的を達成するため、本発明は、電源とポンプ１２との間に介在するポンプ用タイマー５０であって、
スイッチ５４と、
鑑賞魚の給餌時間として予め定められた時間を設定する時間設定手段７２とを有し、
スイッチ５４のオンにより、前記時間設定手段７２に設定された時間だけ、ポンプ１２への給電を停止することを特徴とする。
【０００８】
本発明のポンプ用タイマー５０は、好適な態様において、前記スイッチが押鋲式のスイッチ５４であって、
前記時間設定手段８０には、鑑賞魚の給餌時間として予め定められた複数の時間が設定されており、該スイッチ５４の押鋲回数により該複数の時間が切換えられて設定され、
スイッチ５４の押鋲により、前記時間設定手段８０の切換えられた時間だけ、ポンプ１２への給電を停止する。
【０００９】
上記の目的を達成するため、本発明は、濾過器に鑑賞魚用の水槽の水を圧送するポンプ１１２であって、
スイッチ５４と、
鑑賞魚の給餌時間として予め定められた時間を設定する時間設定手段１５０とを有し、
スイッチ５４のオンにより、前記時間設定手段１５０に設定された時間だけ、濾過器への水の圧送を停止することを特徴とする。
【００１０】
上記の目的を達成するため、本発明は、電源に接続され鑑賞魚の水槽を照明する照明具９０であって、
ポンプ用のコンセント９６と、
スイッチ５４と、
鑑賞魚の給餌時間として予め定められた時間を設定する時間設定手段２５０とを有し、
スイッチ５４のオンにより、前記時間設定手段２５０に設定された時間だけ、ポンプ用コンセント９６からの給電を停止することを特徴とする。
【００１１】
上記の目的を達成するため、本発明の鑑賞魚用装置２００は、電源に接続され、鑑賞魚の水槽を照明する照明具９２と、濾過器に鑑賞魚用の水槽の水を圧送するポンプ２１２と備え、
スイッチ２５４と、
鑑賞魚の給餌時間として予め定められた時間を設定する時間設定手段２５０とを有し、
前記スイッチ２５４のオンにより、前記時間設定手段２５０に設定された時間だけ、前記ポンプ２１２による濾過器２１８への水の圧送を停止することを特徴とする。
【００１２】
【作用効果】
上記のように構成されたポンプ用タイマー５０では、スイッチ５４がオンされることにより、時間設定手段７２に設定されている鑑賞魚の給餌時間として予め定められた時間だけ、ポンプ１２への給電を停止する。このため、給餌後、鑑賞魚が餌を食べ尽くすまでポンプ１２を停止することができ、餌が濾過器１８に送られることがなくなる。
【００１３】
また、請求項２に記載されたポンプ用タイマー５０では、時間設定手段８０に鑑賞魚の給餌時間として予め定められた複数の時間が設定されており、スイッチ５４の押鋲回数により該複数の時間が切換えられて設定され、スイッチ５４の押鋲により切換えられた時間だけポンプ１２への給電を停止する。このため、異なる種類の餌を鑑賞魚に与えたとき、スイッチ５４を押す回数を変えることにより、餌の種類に応じてポンプ１２への給電停止時間を切り換えることができる。
【００１４】
上記のように構成されたポンプ１１２では、スイッチ５４がオンされることにより、時間設定手段１５０に設定されている鑑賞魚の給餌時間として予め定められた時間だけ、濾過器１８への水の圧送を停止する。このため、給餌後、鑑賞魚が餌を食べ尽くすまで水の圧送を停止することができ、餌を濾過器１８へ送ることがなくなる。また、この発明では、スイッチ５４及び時間設定手段１５０がポンプ１２に組み込まれているため、タイマー用のケースが不要になり廉価に構成できる利点がある。
【００１５】
上記のように構成された照明具９０では、スイッチ５４がオンされることにより、時間設定手段２５０に設定されている鑑賞魚の給餌時間として予め定められた時間だけ、ポンプ用コンセント９６からの給電を停止する。このため、給餌後、鑑賞魚が餌を食べ尽くすまでポンプ１２を停止することができ、餌が濾過器１８に送られることがなくなる。また、この発明では、スイッチ５４及び時間設定手段２５０が照明具９０に組み込まれているため、タイマー用のケースが不要になり廉価に構成できる利点がある。
【００１６】
また、請求項５に記載された鑑賞魚用装置２００では、スイッチ２５４がオンされることにより、時間設定手段２５０に設定されている鑑賞魚の給餌時間として予め定められた時間だけ、ポンプ２１２による濾過器２１８への水の圧送を停止する。このため、給餌後、鑑賞魚が餌を食べ尽くすまで水の圧送を停止することができ、餌を濾過器２１８へ送ることがなくなる。また、この発明では、スイッチ５４及び時間設定手段２５０が鑑賞魚用装置２００に組み込まれているため、タイマー用のケースが不要になり廉価に構成できる利点がある。
【００１７】
【実施例】
以下、本発明を具体化した実施例を図を参照して説明する。
図１は、本発明の１実施例に係るポンプ用タイマー５０が配置される水槽１０を示している。水槽１０の上蓋２２上には、ポンプ１２と濾過器１８とが置かれている。ポンプ用タイマー５０は、電源と接続され、レセプタクル５２を介してポンプ１２側のコンセント１１へ電力を供給するように構成されている。このポンプ１２のノズル１４の先端は、水槽１０内の水１６へ浸漬されており、該ポンプ１２は、ポンプ用タイマー５０を介して電力が供給されることにより水１６を汲み上げ、濾過器１８側へ圧送している。該濾過器１８では、水を濾過して、吐出口２０から水槽１０側へ還流している。この濾過器１８は、鑑賞魚からの排泄物を物理的に濾過すると共に、生物的濾過、即ち、バクテリアによる処理を施し、魚類に適切な環境を水替えを行うことなく長期間保つ。このポンプ用タイマー５０には、ポンプ１２を設定時間休止するための押鋲スイッチ５４と、休止時間の経過を知らせる４つのＬＥＤ５６ａ、５６ｂ、５６ｃ、５６ｄと、ポンプ１２へ給電中であることを表示する表示ネオン５８と、休止時間を調整するためのボリューム６０とが配置されている。
【００１８】
次に、ポンプ用タイマー５０の回路構成について図２を参照して説明する。該ポンプ用タイマー５０は、各回路へ電力を供給する回路電源６４と、ＲＳフリップフロップ６６と、ポンプ１２側への電力の供給をオン・オフする出力リレー６２と、該出力リレー６２を駆動する出力ドライブ回路６８と、鑑賞魚の給餌時間として設定された時間（３０分）を計数するタイマーカウンタ７２と、該タイマーカウンタ７２へクロック信号を与えるクロック発生器７４と、上記４つのＬＥＤ５６ａ、５６ｂ、５６ｃ、５６ｄを点滅させるＬＥＤ表示ドライブ回路７６とから主として構成されている。なお、出力リレー６２としては、コイルに通電されていない状態で、ｂ側、即ち、接点を導電状態として動作不良の際にもホンプ１２へ給電を継続できるものが選択されている。
【００１９】
ここで、上記ポンプ用タイマー５０の動作について説明する。操作者は、鑑賞魚への給餌を行う際に押鋲スイッチ５４を押す。これにより、ＲＳフリップフロップ６６がセットされ、セット信号が出力ドライブ回路６８に加わり、該出力ドライブ回路６８が出力リレー６２のコイルを励磁して接点をａに切り換える。これにより、ポンプ１２への通電が停止され、ポンプ１２が濾過器１８へ水の圧送を停止し、水槽の水に浮遊している餌を濾過器１８へ圧送することを防ぐ。なお、このホンプ１２の休止状態は表示ネオン５８の消灯により確認できるようになっている。
【００２０】
また、上述したＲＳフリップフロップ６６からのセット信号は、ゲート７０を介してタイマーカウンタ７２にも加えられる。該タイマーカウンタ７２は、クロック発生器７４からのクロック信号により、設定された３０分の時間の計数を開始すると共に、ＬＥＤ表示ドライブ回路７６に信号を送り、全てのＬＥＤ５６ａ、５６ｂ、５６ｃ、５６ｄを点灯させる。そして、３０分の１／４に相当する７分３０秒の経過によりＬＥＤ５６ａを消灯させ、３０分の２／４に相当する１５分の経過によりＬＥＤ５６ｂを消灯させ、更に、３０分の３／４に相当する２２分３０秒の経過によりＬＥＤ５６ｃを消灯させる。そして、設定された３０分の経過によりＬＥＤ５６ａを消灯させると共に、タイムアップ出力をＲＳフリップフロップ６６に加える。これに応じて、該ＲＳフリップフロップ６６が、リセット信号を出力ドライブ回路６８へ加え、該出力ドライブ回路６８が出力リレー６２のコイルの励磁を解き接点をｂへ切り換える。これにより、ポンプ１２へ通電され、ポンプ１２が濾過器１８への水の圧送を再開する。この通電状態は、表示ネオン５８の点灯により確認できる。
【００２１】
この実施例では、給餌のための停止時間をその都度タイマーを捻る等により設定することなく、上記押鋲スイッチ５４を押すだけでポンプ１２を停止できる。また、給餌時間の完了により確実にポンプ１２を再起動することができる。なお、上述した鑑賞魚の給餌時間として設定された時間（３０分）は、ボリューム６０をドライバ等で回動することにより任意に調整できる。
【００２２】
次に、上記ポンプ用タイマーの改変例について図３の回路図を参照して説明する。この改変例では、１つのマイクロコンピュータ８０が、設定時間の計数等の処理を行うようになっている。ここで、操作者は、鑑賞魚への給餌を行う際に押鋲スイッチ５４を押す。この押鋲スイッチ５４からの信号入力に応じて、マイクロコンピュータ８０は、上述した図２に示す回路と同様な動作を行い、３０分間ポンプ１２の動作を停止させる。
【００２３】
ここで、操作者は、異なる餌、即ち、鑑賞魚の早く食べ尽くす餌を与える際に、押鋲スイッチ５４を続けて２回押す。これにより２２分３０秒（３０分の３／４）の停止時間が設定できる。このとき、マイクロコンピュータ８０は、ＬＥＤ表示ドライブ回路７６に信号を送り、ＬＥＤ５６ｂ、５６ｃ、５６ｄを点灯させると同時にホンプ１２への給電を停止する。そして、３０分の２／４に相当する１５分の経過によりＬＥＤ５６ｂを消灯させ、更に、３０分の３／４に相当する２２分３０秒の経過によりＬＥＤ５６ｃを消灯させる。そして、設定された２２分３０秒の経過によりＬＥＤ５６ａを消灯させると共に、出力リレー６２のコイルの励磁を解き接点をｂに切り換えホンプ１２への通電を再開する。同様に、押鋲スイッチ５４を続けて３回押すことにより、１５分（３０分の２／４）の停止時間が設定でき、この設定に応じてＬＥＤ５６ｃ、５６ｄが点灯される。また、押鋲スイッチ５４を続けて４回押すことにより、７分３０秒（３０分の３／４）の停止時間が設定でき、これに応じてＬＥＤ５６ｄが点灯される。
【００２４】
この改変例では、押鋲スイッチ５４を続けて押すことにより複数種類の時間を設定できるため、多種の餌を使い分けるときに、休止時間をこれに合わせて容易に設定できる利点がある。
【００２５】
タイマー回路の更なる変形例について、図４を参照して説明する。この変形例のタイマー回路では、図２に示す回路構成において、ＬＥＤ表示ドライブ回路７６が省略されていると共に、ボリューム６０にツマミ（図示せず）が取り付けられており、該ツマミを調整することにより、休止時間を連続的に調整できるように構成されている。
【００２６】
次に、本発明の１実施例に係るポンプ１１２について図５を参照して説明する。図５（Ａ）はこのポンプ１１２が配置される水槽１０を示し、図５（Ｂ）は該ポンプ１１２の平面図を示している。なお、ポンプ１１２の説明において図１、図２を参照して上述した実施例と同様な部材については、同一の参照符号を用いて説明を省略する。このポンプ１１２には、図２に示したと同様なタイマ回路１５０が内蔵されており、ポンプ１１２の上面には、図５（Ｂ）に示すように、ポンプ１１２を設定時間休止させるための押鋲スイッチ５４と、休止時間の経過を知らせる４つのＬＥＤ５６ａ、５６ｂ、５６ｃ、５６ｄと、ポンプ１２が動作中であることを表示する表示ネオン５８と、休止時間を調整するためのボリューム６０とが配置されている。このポンプ１１２では、鑑賞魚への給餌の際に押鋲スイッチ５４が押されることにより、濾過器１８への水の圧送を３０分間停止し、水槽水に浮遊している餌を濾過器１８へ圧送することを防ぐ。
【００２７】
この実施例では、ポンプ１１２にタイマーが組み込まれているので、図１に示したポンプ用タイマー５０のケーシング及びコンセントとレセプタクル５２とが不要となり、廉価に構成できる利点がある。また、ポンプ用タイマー５０が不要となるので、全体としてコンパクトに構成できるという長所がある。なお、この実施例では、図２に示すタイマー回路が用いられているが、この代わりに図３又は図４に示すタイマー回路を用いることも可能である。
【００２８】
次に、本発明の１実施例に係る照明具９０について図６を参照して説明する。図６（Ａ）はこの照明具９０の一部切り欠き斜視図を示し、図６（Ｂ）は背面図を示している。なお、照明具９０の説明において、図１、図２を参照して上述した実施例と同様な部材については、同一の参照符号を用いて説明を省略する。照明具９０は、水槽の上方に取り付けられて、２本の蛍光灯９２、９２によって水槽内を照明すると共に水草の光合成を促すもので、内部には図３に示したと同様なタイマ回路２５０が内蔵されている。照明具９０の上面には、蛍光灯９２、９２の点灯・消灯用のスイッチ９９と、ポンプ１２を設定時間休止させるための押鋲スイッチ５４と、４つのＬＥＤ５６ａ、５６ｂ、５６ｃ、５６ｄと、表示ネオン５８とが配置されておいる。また、図６（Ｂ）に示すように背面には、該タイマ回路２５０により給電が制御されるコンセント９６と、給電の制御がなされないコンセント９４とが取り付けられている。このコンセント９６には、ポンプ１２のコンセントが嵌入される。そして、鑑賞魚への給餌の際に、押鋲スイッチ５４が押されると、コンセント９６からポンプ１２への給電を３０分間停止し、水槽水に浮遊している餌がホンプ１２により濾過器１８へ圧送されることを防ぐ。
【００２９】
この実施例では、照明具９０にタイマーが組み込まれているので、図１に示したポンプ用タイマー５０のケーシング及びコンセントと、レセプタクル５２とが不要となり、廉価に構成できる利点がある。また、ポンプ用タイマー５０を照明具内に収容するので、全体としてコンパクトに構成できるという効果がある。なお、この実施例では、図２に示すタイマー回路が用いられているが、この代わりに図３又は図４に示すタイマー回路を用いることも可能である。
【００３０】
次に、本発明の１実施例に係る鑑賞魚用装置２００について図７を参照して説明する。図７（Ａ）はこの鑑賞魚用装置２００の側面図を、図７（Ｂ）は平面図を示している。なお、鑑賞魚用装置２００の説明において、図１、図２を参照して上述した実施例と同様な部材については、同一の参照符号を用いて説明を省略する。鑑賞魚用装置２００は、上述したポンプと照明具と濾過器とを一体にしたもので、水槽の上方に取り付けられて、２本の蛍光灯９２、９２によって水槽内を照明すると共に水草の光合成を促するとともに、内蔵されたポンプ２１２にて水槽１０内の水１６を汲み上げ、濾過器２１８側へ圧送するもので、内部には図３又は図４に示したと同様なタイマ回路２５０が内蔵されている。鑑賞魚用装置２００の上面には、蛍光灯９２、９２の点灯・消灯用のスイッチ２９９と、ポンプ２１２を設定時間休止させるための押鋲スイッチ２５４とが設けられている。そして、鑑賞魚への給餌の際に、押鋲スイッチ２５４が押されると、タイマ回路２５０がポンプ２１２への給電を３０分間停止し、水槽水に浮遊している餌がホンプ２１２により濾過器２１８へ圧送されることを防ぐ。
【００３１】
この実施例では、鑑賞魚用装置２００にタイマーが組み込まれているので、図１に示したポンプ用タイマー５０のケーシング及びコンセントと、レセプタクル５２とが不要となり、廉価に構成できる利点がある。また、ポンプ用タイマー５０、ポンプ２５０、蛍光灯９２を内蔵するので、全体としてコンパクトに構成できるという効果がある。
【００３２】
ここで、本発明における鑑賞魚としては、高い水温で飼育する熱帯魚に限定されず、錦鯉・金魚等の常温で飼育する鑑賞魚も含まれる。また、上述した例では、ホンプ１２、１１２が水槽の上部に置かれる濾過器１８へ直接水を圧送する例を挙げたが、本発明のホンプは、底面フィルタ又は投げ込みフィルタ等の濾過器が用いられるときは、エアを介して水を圧送することも可能である。
【図面の簡単な説明】
【図１】本発明の１実施例に係るポンプ用タイマーが配置された水槽を示す側面図である。
【図２】図１に示すポンプ用タイマーの回路図である。
【図３】図２に示すポンプ用タイマーの改変例の回路図である。
【図４】図２に示すポンプ用タイマーの改変例の回路図である。
【図５】本発明の１実施例に係るポンプが配置された水槽を示し、図５（Ａ）は水槽の側面図であり、図５（Ｂ）はポンプ１１２の平面図である。
【図６】本発明の１実施例に係る照明具を示し、図６（Ａ）は一部切り欠き斜視図であり、図６（Ｂ）は背面図である。
【図７】本発明の１実施例に係る鑑賞魚用装置を示し、図７（Ａ）は側面図であり、図７（Ｂ）は平面図である。
【図８】従来の濾過装置を示す側面図である。
【符号の説明】
１０  水槽
１２  ポンプ
１８  濾過器
５０  ホンプ用タイマー
７２  タイマーカウンタ
８０  マイクロコンピュータ
９０  照明具
１１２  ポンプ
２００  鑑賞魚用装置
【図１】
0003589747.tif 000002
【図２】
0003589747.tif 000003
【図３】
0003589747.tif 000004
【図４】
0003589747.tif 000005
【図５】
0003589747.tif 000006
【図６】
0003589747.tif 000007
【図７】
0003589747.tif 000008
【図８】
0003589747.tif 000009